(57)【要約】【課題】洗濯物の濡れ性が充分になされるドラム式洗濯機を提供する。【解決手段】衣類を収容し水平又は傾斜した回転中心軸を有するドラム４と、前記ドラム４を回転自在に収容する水槽３と、前記水槽３の前面を覆うと共に前記衣類の出し入れ用の開口部５を有する水槽カバー６と、前記水槽３内に給水する給水弁１１と、前記開口部を覆う窓部７と、前記水槽カバー６の内面に設けられ前記給水弁１１と連通すると共に前記ドラム４内に略扇状に水を吐出する開口１５を備えたもので、給水弁１１に通電すると、水が開口１５より扇状に吐出するので、ドラム４内の衣類全体を満遍なく濡らすことができ、洗いむらが減少すると共に、洗浄力を向上させることができる。【選択図】図１
2006068193.tif 000002
【特許請求の範囲】
【請求項１】
衣類を収容し水平又は傾斜した回転中心軸を有するドラムと、前記ドラムを回転自在に収容する水槽と、前記水槽の前面を覆うと共に前記衣類の出し入れ用の開口部を有する水槽カバーと、前記水槽内に給水する給水弁と、前記開口部を覆う窓部と、前記水槽カバーの内面に設けられ前記給水弁と連通すると共に前記ドラム内に略扇状に水を吐出する開口を備えたドラム式洗濯機。
【請求項２】
水槽カバーの内面に略球面状部を有する袋状部材を配し、前記水槽カバーの外周に、ホース部材を介して給水弁と連通する略円筒状の突出部を設け、前記略球面状部に開口を配すると共に前記突出部の内側に位置する内部開口部と前記袋状部材とをパイプ部材で連通した請求項１に記載のドラム式洗濯機。
【発明の詳細な説明】
【技術分野】
【０００１】
本発明は、回転軸方向が略水平又は傾斜方向になるようにして水槽内に回転自在に配置されたドラムを備えたドラム式洗濯機に関するものである。
【背景技術】
【０００２】
従来の、この種のドラム式洗濯機は、円筒形に形成され内周壁の複数箇所に突出して設けた撹拌突起を有するドラムと、そのドラムを、その回転軸方向が略水平又は傾斜方向になるようにして回転自在に収納する水槽を備え、そのドラムを回転させることにより、ドラム内に収容された洗濯物を撹拌突起に引っ掛けて持ち上げ、持ち上げられた洗濯物が適当な高さから落下することによって洗濯物が叩き洗いされるようになっている（例えば、特許文献１参照）。
【特許文献１】特開平０９−２１５８９４号公報（第２〜６頁、図１）
【発明の開示】
【発明が解決しようとする課題】
【０００３】
しかしながら、このような従来のドラム式洗濯機は、洗濯物を主に叩き洗いによって洗濯するので、従来からの主流であるドラムを縦方向に配した洗濯機に比して洗濯物を傷め難い構造ではあるが、ドラムを横向きに配しているため、洗濯物が大きい場合、水槽の下部に溜まった水による衣類の全体（時に中央部）の濡れ性が十分でないことが稀に発生するという問題があった。この問題を解決すべく、衣類を収容するドラムへの開口部を形成する水槽カバーをドラムの前面に配設し、この水槽カバー部にドラム内への注水口を設けたドラム式洗濯機もある。
【０００４】
しかし、ドラムの開口部を形成する水槽カバーに単に開口だけの注水口を設けても、水が集中的に出るだけでドラムの全体に十分に広がらない為、衣類の全体の濡れ性が十分なものとならないとか、注水口までのシール構成が溝構成等の場合、十分なシール構成となっていない為、水が注水口に到達するまでに途中で漏れてしまい、衣類を濡らす作用が満足になされない課題があった。
【０００５】
本発明は、前記従来の課題を解決するもので、洗濯物の濡れ性が充分になされる注水構造を備えたドラム式洗濯機を提供することを目的とする。
【課題を解決するための手段】
【０００６】
前記従来の課題を解決するために、本発明のドラム式洗濯機は、衣類を収容し水平又は傾斜した回転中心軸を有するドラムと、前記ドラムを回転自在に収容する水槽と、前記水槽の前面を覆うと共に前記衣類の出し入れ用の開口部を有する水槽カバーと、前記水槽内に給水する給水弁と、前記開口部を覆う窓部と、前記水槽カバーの内面に設けられ前記給水弁と連通すると共に前記ドラム内に略扇状に水を吐出する開口を備えたものである。
【０００７】
これによって、給水弁に通電すると、水が開口に送られ扇状に吐出し、ドラム内の衣類全体を満遍なく濡らすことができ、洗いむらが減少すると共に、洗浄力を向上させることができる。
【発明の効果】
【０００８】
本発明のドラム式洗濯機は、ドラム内の衣類全体を満遍なく濡らすことができ、洗いむらが減少すると共に、洗浄力を向上させることができる。
【発明を実施するための最良の形態】
【０００９】
第１の発明は、衣類を収容し水平又は傾斜した回転中心軸を有するドラムと、前記ドラムを回転自在に収容する水槽と、前記水槽の前面を覆うと共に前記衣類の出し入れ用の開口部を有する水槽カバーと、前記水槽内に給水する給水弁と、前記開口部を覆う窓部と、前記水槽カバーの内面に設けられ前記給水弁と連通すると共に前記ドラム内に略扇状に水を吐出する開口を備えたもので、給水弁に通電すると、水が開口に送られ扇状に吐出し、ドラム内の衣類全体を満遍なく濡らすことができ、洗いむらが減少すると共に、洗浄力を向上させることができる。
【００１０】
第２の発明は、特に、第１の発明の水槽カバーの内面に略球面状部を有する袋状部材を配し、前記水槽カバーの外周に、ホース部材を介して給水弁と連通する略円筒状の突出部を設け、前記略球面状部に開口を配すると共に前記突出部の内側に位置する内部開口部と前記袋状部材とをパイプ部材で連通したもので、給水弁から開口を有する袋状部材までの注水経路のシール構造が簡素化され途中での水漏れを極力少なくすることができるとともに、同注水経路の組み立て、サービスが容易である。
【００１１】
以下、本発明の実施の形態について、図面を参照しながら説明する。なお、この実施の形態によって本発明が限定されるものではない。
【００１２】
（実施の形態１）
図１は、本発明の第１の実施の形態におけるドラム式洗濯機に概略断面図、図２は、同ドラム式洗濯機の要部断面図である。
【００１３】
図１、２において、ドラム式洗濯機１の筐体２内に、図示しないサスペンション構造によって水槽３が宙吊り状態に配設され、前記水槽３内には、有底円筒形に形成されたドラム４が、その軸心方向を正面側から背面側に向けて下向きに傾斜させて回転自在に配設されている。前記水槽３の前面側には、開口部５を形成する水槽カバー６が配置され、前記開口部５に通じる衣類出入口が形成され、窓部７で前記開口部５を閉塞している。
【００１４】
前記ドラム４には、その周壁に水槽３内に通じる多数の透孔８が形成され、内周面の複数位置に撹拌突起９が設けられている。このドラム４は水槽３の背面側に取り付けられたモータ１０によって正転及び逆転方向に回転駆動される。また、前記筐体２内には、水槽３内に給水する給水弁１１が設けられ、前記水槽３には注水管路１２及び排水管路１３が配管接続され、図示しない排水弁の制御によって排水がなされる。
【００１５】
前記水槽カバー６の内面には、略球面状部１４に開口１５を設けた袋状部材１６が配置され、前記給水弁１１と、前記水槽カバー６の外周部に設けられた略円筒状の突出部１７と連通するホース部材１８とが水密的に接合され、更に、前記袋状部材１６と、前記水槽カバー６の突出部１７の内側に位置する内部開口部１９とが、パイプ部材２０で水密的に連通され、注水経路２１が形成されている。
【００１６】
図３は、水槽カバー６の内面に設けられた袋状部材１６の開口１５の正面図であり、この開口１５の両側の上下幅は、中央部の上下幅より広く形成されている。
【００１７】
上記構成によるドラム式洗濯機の動作を説明する。
【００１８】
窓部７を開いてドラム４内に洗濯物及び洗剤を投入してドラム式洗濯機１の運転を開始すると、給水弁１１に通電され動作し、水槽３内には注水管路１２と注水経路２１から所定時間に所定量の注水がなされ、モータ１０によりドラム４が回転駆動されて洗濯行程が行われる。この時、ドラム４の回転により、ドラム４内に収容された洗濯物はドラム４の内周壁に設けられた撹拌突起９によって回転方向に持ち上げられ、持ち上げられた適当な高さ位置から落下する撹拌動作が繰り返されると同時に、注水経路２１を経て給水される水は、略球面状部１４に開口１５が形成されているので、その開口１５で扇状に広がり衣類全体を濡らす作用が継続され、衣類の濡れ性を十分に行うことができる。
【００１９】
所要の洗濯時間の後、汚れた洗濯液は排水管路１３から排出され、ドラム４を高速回転させる脱水動作により洗濯物に含まれた洗濯液を脱水し、その後、水槽３内に再び注水管路１２と注水経路２１から注水してすすぎ行程が実施される。このすすぎ行程においても洗濯行程と同様に撹拌動作と扇状の注水作用が行われ、すすぎ洗いが実施され、衣類全体にも満遍なく注水が行われ、すすぎ効果を十分発揮することができる。
【００２０】
また、開口１５の両側の上下幅は、中央部の上下幅より広く形成されているので、水は両側へ多く流れ、その結果、扇状の吐出形状が形成でき、衣類全体を満遍なく濡らすことができる。
【００２１】
尚、図４に示すように、開口１５の形成される略球面状部１４は、略半球状とすることにより、開口１５の開口角度αを最も大きくすることができるので、その結果、更に広い範囲に広がる扇状の吐出形状が形成でき、衣類全体を満遍なく濡らすことができる。
【００２２】
また、注水経路２１の途中が、ホース部材１８と、パイプ部材２０で形成されているのでシール構成が簡素化され、しかもその組み立て、サービスが容易になる。
【００２３】
また、袋状部材１６と水槽カバー６の略円筒状の突出部１７の内側の内部開口部１９と連通するパイプ部材２０を、柔軟性を有するエラストマー等の材料で形成することにより、両端嵌合部のシール性を十分確保することができ、ドラム４内に吐出する開口１５に至るまでの経路途中での水漏れ防止ができ、衣類の濡れ性の確保ができるばかりか、嵌合部に柔軟性があるため、組立作業性が容易とできる。
【産業上の利用可能性】
【００２４】
以上のように、本発明にかかるドラム式洗濯機は、回転中心軸が水平又は傾斜したドラム内の衣料に、水が扇状に広がってかかるので、衣類の全体に水を浸透させることができ、洗いむらが少なく洗浄力が向上するので、注水シャワー機能を有した家庭用、業務用洗濯機、洗浄装置等に有用である。
【図面の簡単な説明】
【００２５】
【図１】本発明の実施の形態１におけるドラム式洗濯機の概略断面図
【図２】同ドラム式洗濯機の要部断面図
【図３】同ドラム式洗濯機の注水経路の正面図
【図４】同注水経路の要部断面図
【符号の説明】
【００２６】
１    ドラム式洗濯機
３    水槽
４    ドラム
５    開口部
６    水槽カバー
７    窓部
１１  給水弁
１５  開口
【図１】
2006068193.tif 000003
【図２】
2006068193.tif 000004
【図３】
2006068193.tif 000005
【図４】
2006068193.tif 000006